(57)【要約】      （修正有）【課題】必要最小限の材料でコスト安に得ることができるとともに、少ない労力で作業性の良好な検測枠の製造方法および検測枠ならびに法面保護工法を提供する。【解決手段】法面上で、芯材を固定できるとともに、その芯材を内包した膨出体を形成する際に膨出体の形状寸法を規制するために使用する、線材Ｒによる検測枠１の製造方法であって、膨出体形状の目安となる第１湾曲部５の形成工程、次の第１略Λ部６への接続部７の形成工程、芯材を浮設保持するための前記第１略Λ部６の形成工程、次の第２略Λ部８への接続部９の形成工程、芯材を浮設保持するための前記第２略Λ部８の形成工程、次の第２湾曲部１０への接続部１１の形成工程、膨出体形状の目安となる前記第２湾曲部１０の形成工程を有している。【選択図】図２
2014114693.tif 000002
【特許請求の範囲】
【請求項１】
法面上で、芯材を固定できるとともに、その芯材を内包した膨出体を形成す
る際に膨出体の形状寸法を規制するために使用する、線材による検測枠の製造方法であって、膨出体形状の目安となる第１湾曲部の形成工程、次の略Λ部への接続部の形成工程、芯材を浮設保持するための前記略Λ部の形成工程、次の第２湾曲部への接続部の形成工程、膨出体形状の目安となる前記第２湾曲部の形成工程を有する検測枠の製造方法。
【請求項２】
法面上で、芯材を固定できるとともに、その芯材を内包した膨出体を形成する際に膨出体の形状寸法を規制するために使用する、線材による検測枠の製造方法であって、膨出体形状の目安となる第１湾曲部の形成工程、次の第１略Λ部への接続部の形成工程、芯材を浮設保持するための前記第１略Λ部の形成工程、次の第２略Λ部への接続部の形成工程、芯材を浮設保持するための前記第２略Λ部の形成工程、次の第２湾曲部への接続部の形成工程、膨出体形状の目安となる前記第２湾曲部の形成工程を有する検測枠の製造方法。
【請求項３】
前記線材の端部を折曲する折曲工程を有する請求項１または２に記載の検測枠の製造方法。
【請求項４】
線材折曲げ装置を用いて前記各工程を行う請求項１〜３のいずれか１項に記載の検測枠の製造方法。
【請求項５】
前記線材は、前記第１湾曲部から前記第２湾曲部に至る間の位置で分割された複数の線材部分よりなり、前記各形成工程の後に、前記分割位置で線材部分同士を溶接により連結して一本の線材とする連結工程を有する請求項１〜４のいずれか１項に記載の検測枠の製造方法。
【請求項６】
請求項１〜３のいずれか１項に記載の各工程の１または複数の工程を、１回または複数回に分けてプレス機を用いて行う検測枠の製造方法。
【請求項７】
請求項１〜３のいずれか１項に記載の全工程を同時に合成樹脂成型加工機で行う検測枠の製造方法。
【請求項８】
請求項１〜７のいずれか１項に記載の製造方法で製造した検測枠。
【請求項９】
法面に芯材を配置する工程、芯材の上から請求項８に記載の検測枠を設置する工程、芯材を検測枠の略Λ部に固定する工程、検測枠の形状を目安にしながら検測枠および芯材を内包するように硬化材を盛って膨出体を形成する工程を有する法面保護工法。
【請求項１０】
最初に、法面に被覆材を展開する工程を有する請求項９に記載の法面保護工法。
【請求項１１】
膨出体を形成する工程の後に、膨出体と膨出体の間の法面を、硬化材、間詰材、植生基材から選ばれる１種以上で覆う工程を有する、請求項９または１０に記載の法面保護工法。
【請求項１２】
検測枠の形状を目安にしながら検測枠および芯材を内包するように硬化材を盛って膨出体を形成する工程の前に、硬化材が付着しないように膨出体と膨出体の間の地山を保護するシートを設置する工程を有する、請求項９〜１１のいずれか１項に記載の法面保護工法。
【発明の詳細な説明】
【技術分野】
【０００１】
この発明は、検測枠の製造方法および検測枠ならびに法面保護工法に関するものである。
【背景技術】
【０００２】
法面に配置した鉄筋の上に被せるように法面上に配置した検測枠に前記鉄筋を固定し、その鉄筋にモルタルまたはコンクリートを吹き付けて法枠を形成するために使用される、法枠の形状寸法を規制するための検測枠として、下記特許文献１に示すものがある。  
【０００３】
これは、所定の高さと幅とを有し、かつ正面視ほぼ弓形状の一対の第１部材（目安部材）と、この第１部材どうしを連結する第２部材を備えるとともに、第１部材の高さ方向中間部において第２部材上に鉄筋を浮設保持する鉄筋保持部材を二本、長さ方向に直角な方向に横設したもので、第１部材は、長さ方向に適宜の間隔をおいて鉄筋を跨いで配置される。これら第１部材、第２部材、鉄筋保持部材は、例えば防錆加工を施した適宜太さの針金を含む鉄線材等の鋼製線材よりなる。そして、第１部材と第２部材とは、溶接またはハンダ付けによって連結（接続）されている。また、二本の鉄筋保持部材は、それぞれ一対の第２部材上に架け渡すように溶接により連結（接続）されている。  
【０００４】
また、法枠の形状寸法を規制するとともに、鉄筋を浮設保持する検測枠として、下記特許文献２に示す閉曲線状に形成されたものがある。これは、一本の線材を湾曲または折曲することにより形成されている。
【先行技術文献】
【特許文献】
【０００５】
【特許文献１】特許第２７４８２６２号公報
【特許文献２】特許第３６８９８００号公報
【発明の概要】
【発明が解決しようとする課題】
【０００６】
特許文献１に記載されている検測枠は、例えば格子状法枠の各辺に一つ設けてあればよく、少ない労力で配置作業を容易に行えるけれども、多数本の鉄線材等の鋼製線材を溶接するなどの連結（接続）手段を用いて所望する形状としており、線材連結（接続）工程が必要な分コストがかかるといった課題がある。すなわち、一対の第１部材（目安部材）と、一対の第２部材と、一対の鉄筋保持部材との計６個の鋼製線材が必要で、かつこれら鋼製線材の溶接等の連結（接続）箇所が８箇所も必要である。また、特許文献２に記載されている検測枠は、特許文献１に記載されている検測枠に比べて長さ方向に極めて短い寸法を有するので、法枠の形状寸法を規制する機能と鉄筋を浮設保持する機能を発揮させるには、すなわち、所定形状寸法および所定強度の法枠を確実に形成するには、例えば格子状法枠の各辺に少なくとも二つ設ける必要があり、配置に関して特許文献１に記載されている検測枠に比べて作業性（施工性）が悪いといった課題がある。また、特許文献２に記載されている検測枠は、所望する形状をうるために一本の線材を閉曲線状に形成する作業は容易な作業ではなく、さらに、閉曲線状に形成するため、最終的には一本の線材の端部同士を連結（接続）する線材連結（接続）工程を施す必要がある。  
【０００７】
この発明は、必要最小限の材料でコスト安に得ることができるとともに、少ない労力で作業性の良好な検測枠の製造方法および検測枠ならびに法面保護工法を提供することである。
【課題を解決するための手段】
【０００８】
上記目的を達成するために、この発明は、法面上で、芯材を固定できるとともに、その芯材を内包した膨出体を形成する際に膨出体の形状寸法を規制するために使用する、線材による検測枠の製造方法であって、膨出体形状の目安となる第１湾曲部の形成工程、次の略Λ部への接続部の形成工程、芯材を浮設保持するための前記略Λ部の形成工程、次の第２湾曲部への接続部の形成工程、膨出体形状の目安となる前記第２湾曲部の形成工程を有する検測枠の製造方法を提供する。（請求項１）。  また、この発明は、別の観点から、法面上で、芯材を固定できるとともに、その芯材を内包した膨出体を形成する際に膨出体の形状寸法を規制するために使用する、線材による検測枠の製造方法であって、膨出体形状の目安となる第１湾曲部の形成工程、次の第１略Λ部への接続部の形成工程、芯材を浮設保持するための前記第１略Λ部の形成工程、次の第２略Λ部への接続部の形成工程、芯材を浮設保持するための前記第２略Λ部の形成工程、次の第２湾曲部への接続部の形成工程、膨出体形状の目安となる前記第２湾曲部の形成工程を有する検測枠の製造方法を提供する（請求項２）。  この発明における芯材は、鉄筋、高張力繊維などを含む。前記高張力繊維として、炭素繊維、ガラス繊維等の無機繊維や、アラミド繊維、ポリエステル繊維、ポリアミド繊維などの有機繊維を挙げることができる。この発明の検測枠としては、一本の芯材を浮設保持する（固定する）一本配筋用の検測枠を挙げることができる。この発明における膨出体は、縦方向のみ、横方向のみ、斜め方向のみ、格子状、斜め格子状などに例えばモルタルなどの硬化材（後述する）を吹き付けるなどして盛って形成したものを含む。このように前記膨出体は、縦方向のみ、横方向のみ、斜め方向のみ、格子状、斜め格子状など、斜面（法面）の保護形態のニーズに合わせて適宜選択可能であるが、図１，３，５ではそのうち格子状の膨出体を示している。この発明における線材は、金属線材、合成樹脂を線状に成型した線材などを含む。また、この発明では、前記複数の工程において、最初の工程の前、最後の工程の後、または前後する２工程に、記載していない工程を挿入してもよい。  
【０００９】
この発明では、前記線材の端部を折曲する折曲工程を有する請求項１または２に記載の検測枠の製造方法を提供する（請求項３）。検測枠は、線材端部を折曲することにより、引っ掛けて仮設置し易くできるとともに、土壌硬度が低い法面では線材端部の沈み込み防止効果が得られる。すなわち、検測枠が動いても法面に展開する例えば金網のような被覆材（後述する）に、折曲工程が施された各線材端部の折曲部分（図３参照）が引っ掛かるので、検測枠を設置し易くできるとともに、法面が盛土であるような場合、検測枠が法面に沈み込むことが防止される。そして、沈み込み防止のため最初の工程（図２，３参照）と最後の工程（図２参照）で線材端部の折曲工程を施すのが好ましい。  
【００１０】
また、この発明では、線材折曲げ装置を用いて前記各工程を行う請求項１〜３のいずれか１項に記載の検測枠の製造方法を提供する（請求項４）。また、この発明では、前記線材は、前記第１湾曲部から前記第２湾曲部に至る間の位置で分割された複数の線材部分よりなり、前記各形成工程の後に、前記分割位置で線材部分同士を溶接により連結して一本の線材とする連結工程を有する請求項１〜４のいずれか１項に記載の検測枠の製造方法を提供する（請求項５）。また、この発明では、請求項１〜３のいずれか１項に記載の各工程の１または複数の工程を、１回または複数回に分けてプレス機を用いて行う検測枠の製造方法を提供する（請求項６）。さらに、この発明では、請求項１〜３のいずれか１項に記載の全工程を同時に合成樹脂成型加工機で行う検測枠の製造方法を提供する（請求項７）。そして、この発明では、加工機械に応じて、線材の断面は円形状、楕円形状、矩形形状、Ｈ形、Ｔ形、Ｌ形、Ｕ形など適宜選択可能である。図１〜２０においては断面円形状の線材を示している。  
【００１１】
また、この発明は別の観点から、請求項１〜７のいずれか１項に記載の製造方法で製造した検測枠を提供する（請求項８）。  
【００１２】
また、この発明はさらに別の観点から、法面に芯材を配置する工程、芯材の上から請求項７に記載の検測枠を設置する工程、芯材を検測枠の略Λ部に固定する工程、検測枠の形状を目安にしながら検測枠および芯材を内包するように硬化材を盛って膨出体を形成する工程を有する法面保護工法を提供する（請求項９）。この発明における硬化材とは、モルタル、コンクリート、接着剤を混合した砂などをいう。なお、芯材として鉄筋を用い、モルタルまたはコンクリートによる膨出体を形成する際には、検測枠の線材としては金属製（金属線材）が好ましいが、芯材として軽量な繊維を用い、接着剤を用いてセメントを含まない硬化材を使用する場合は、合成樹脂製の検測枠を用いることが好ましい。そして、検測枠を合成樹脂製とする場合は、ポリプロピレンやポリエチレン等、成形し易い任意の原料を使用可能である。  
【００１３】
さらに、この発明は、最初に、法面に被覆材を展開する工程を有する請求項９に記載の法面保護工法を提供する（請求項１０）。この発明における被覆材とは、金網、樹脂ネット、簾状の高張力繊維など地山を直接被覆するものをいう。法面は平滑ではなく凹凸があることが多く、その場合、図３，５に示すように金網（被覆材の一例）は少し（例えば１〜２ｃｍ程度）浮いた状態となる。なお、前記被覆材（被覆体）は法面に当接してもよいし、法面から適当間隔空けて張設されてもよい。また、法面の勾配が緩いなど、法表面が比較的安定している場合等には、前記被覆材（被覆体）を省略することもできる。  
【００１４】
また、この発明は、膨出体を形成する工程の後に、膨出体と膨出体の間の法面を、硬化材、間詰材、植生基材から選ばれる１種以上で覆う工程を有する、請求項９または１０に記載の法面保護工法を提供する（請求項１１）。また、この発明は、検測枠の形状を目安にしながら検測枠および芯材を内包するように硬化材を盛って膨出体を形成する工程の前に、硬化材が付着しないように膨出体と膨出体の間の地山を保護するシートを設置する工程を有する、請求項９〜１１のいずれか１項に記載の法面保護工法を提供する（請求項１２）。
【発明の効果】
【００１５】
本発明では、以下の効果を奏する。（１）請求項１の発明では、連続した線材に、第１湾曲部、略Λ部への接続部、前記略Λ部、第２湾曲部への接続部、前記第２湾曲部を形成する工程を有している。また、請求項２の発明では、連続した線材に、第１湾曲部、第１略Λ部への接続部、前記第１略Λ部、第２略Λ部への接続部、前記第２略Λ部、第２湾曲部への接続部、前記第２湾曲部を形成する工程を有している。一方、特許文献１に記載された従来の検測枠（以下、従来技術という）では、１本の芯材を固定（浮設保持）する機能を有する検測枠において、鋼製線材が６本も必要で、しかもこれら鋼製線材の溶接等の線材連結（接続）箇所が８箇所にも及んでおりコスト高となる。一方、本発明では、同じ機能を有するのに前記従来技術のように６本もの多数の鋼製線材を必要とせず、例えば１本の線材から検測枠を製造しており、溶接等線材連結（接続）する必要なしで検測枠を構成できるため、コストダウンが達成できる。また、所定形状寸法および所定強度の膨出体を確実に形成することができる検測枠を得るために必要な線材量が、一例として前記従来技術では２４５ｃｍの
ところ、本発明で得られる検測枠では１９５ｃｍと約２０％少なく済み、使用材料の面からもコストダウンが達成できる。  
【００１６】
（２）例えば図７〜１０に示すように、１個の検測枠には、略Λ部の一端側および他端側にそれぞれ形成された接続部、すなわち、略Λ部の前後に形成された接続部を介して膨出体形状の目安となる第１湾曲部と第２湾曲部が形成されている。また、例えば図１，２，４，６に示すように、１個の検測枠には、第１略Λ部と第２略Λ部を接続する（第１略Λ部と第２略Λ部を繋ぐ）接続部を介して膨出体形状の目安となる第１湾曲部と第２湾曲部が形成されている。例えば図１，２，４，６に示すものにおいては、前記接続部の長さに相当する間隔をおいて一対の湾曲部を有するので、芯材が第１略Λ部と第２略Λ部間にわたり浮設保持可能となる。そのため、例えば格子状の膨出体を形成する際、格子状芯材の一辺に検測枠一個の設置で、例えば一本の芯材の二箇所の固定（位置決め）ができる。すなわち、格子状芯材には、前記一対の湾曲部が位置することから、例えば一個の検測枠の設置で例えば一本の芯材の一箇所の固定（位置決め）しかできない検測枠を設置する場合に比べて硬化材の盛りつけ作業をし易くできるとともに、例えば一本の芯材を二箇所で固定（位置決め）することができるので、所定形状寸法および所定強度の膨出体を確実に形成することができる。  
【００１７】
（３）そして、格子状芯材の一辺が長くなっても、その長さに応じて、図１，２，４，６に示すものでは第１略Λ部と第２略Λ部を接続する接続部を辺方向に沿って適宜の長さに設定することができることから、また、図７〜１０に示すものにおいては、略Λ部の前後に形成された接続部を辺方向に沿って適宜の長さに設定することができることから、格子状芯材の一辺に検測枠を複数個設ける必要はなく、その分経済的である。  
【００１８】
（４）また、本発明では、略Λ部の前後に形成された接続部の存在により、あるいは、第１略Λ部と第２略Λ部を接続する接続部の存在により、芯材の結束・固定作業を行う作業空間が開放されており、作業空間を広く確保することができる。この場合、略Λ部の前後に形成された接続部を例えば金網などの被覆材に接するような低い位置に形成することにより、あるいは、第１略Λ部と第２略Λ部を接続する接続部を例えば金網などの被覆材に接するような低い位置に形成することにより、検測枠内の作業空間をさらに広く確保することができる。  
【００１９】
（５）また、上記特徴的構成の製造方法によって得られる、例えば一本の芯材を浮設保持する（固定する）一本配筋用の検測枠は、嵩張らないので、収容スペースをとらず、持ち運びや搬送作業も容易で、現地での取り扱い作業性にも優れているという利点を有する。
【図面の簡単な説明】
【００２０】
【図１】この発明の第１の実施形態を、一部を拡大して示す斜視図である。
【図２】上記実施形態を示す斜視図である。
【図３】上記実施形態を示す正面図である。
【図４】この発明の第２の実施形態を示す斜視図である。
【図５】この発明の第３の実施形態を示す正面図である。
【図６】この発明の第４の実施形態を示す斜視図である。
【図７】この発明の第５の実施形態を示す斜視図である。
【図８】上記第５の実施形態を示す概略平面図である。
【図９】この発明の第６の実施形態を示す斜視図である。
【図１０】上記第６の実施形態を示す概略平面図である。
【図１１】この発明において、線材の折曲げ方の一例を示す構成説明図である。
【図１２】この発明において、線材の折曲げ方の異なる例を示す構成説明図である。
【図１３】この発明の第７の実施形態を用いて得られた検測枠を示す斜視図である。
【図１４】上記第７の実施形態を示す分解斜視図である。
【図１５】この発明の第８の実施形態を用いて得られた検測枠を示す斜視図である。
【図１６】上記第８の実施形態を示す分解斜視図である。
【図１７】この発明の第９の実施形態を用いて得られた検測枠を示す斜視図である。
【図１８】上記第９の実施形態を示す分解斜視図である。
【図１９】この発明の第１０の実施形態を用いて得られた検測枠を示す斜視図である。
【図２０】上記第１０の実施形態を示す分解斜視図である。
【発明を実施するための形態】
【００２１】
以下、この発明の実施形態について図面に基づいて説明する。図１〜３は、一本の連続した鋼製線材などの線材による検測枠を得るための最初と最後の工程として、それぞれ線材端部（一本の線材の一方端部と他方端部）の折曲工程を有するように構成し、沈み込み防止効果の機能を線材の前記一方端部と他方端部に持たせた、一本の線材による一本配筋用の検測枠を得るようにしたこの発明の第１の実施形態を示す。この実施形態では、芯材として鉄筋を用い、硬化材としてモルタル又はコンクリートなどを用い、膨出体を格子状法枠とし、線材として一本の金属線材を用い、被覆材として例えば菱形金網を用いている。図１〜３において、検測枠１は、法面２上で、一本の鉄筋（芯材の一例）３を浮設保持（固定）できるとともに、鉄筋３を内包した格子状法枠Ｍ（膨出体の一例）を形成する際に格子状法枠Ｍの形状寸法を規制するために使用するものである。具体的に、検測枠１は、法面２に金網（被覆材の一例）Ｋを敷設した後、この金網Ｋ上に鉄筋３を格子状に配置し、その鉄筋３の上に被せるように法面２上に配置した検測枠１に前記鉄筋３を浮設保持（固定）し、その格子状鉄筋３にモルタルなど４を吹き付けて格子状法枠Ｍを形成するために使用されるものであって、格子状法枠Ｍの形状寸法を規制するためのものである。検測枠１は一本の連続した鋼製線材などの金属線材（線材の一例）Ｒよりなる。そして、一本の金属線材Ｒに複数の工程を順次施して検測枠１が得られる。検測枠１の製造方法は、格子状法枠Ｍ形状の目安となる目安部を構成する第１湾曲部５の形成工程（第一工程）、次の第１略Λ部６への接続部７の形成工程（第二工程）、一本の鉄筋３を浮設保持するための前記第１略Λ部６の形成工程（第三工程）、次の第２略Λ部８への接続部９の形成工程（第四工程）、一本の鉄筋３を浮設保持するための前記第２略Λ部８の形成工程（第五工程）、次の第２湾曲部１０への接続部１１の形成工程（第六工程）、格子状法枠Ｍ形状の目安となる目安部を構成する前記第２湾曲部１０の形成工程（第七工程）を主として含むとともに、第一工程、第二工程・・・第六工程および第七工程の順序で行われて検測枠１が製造される。そして、一本の金属線材Ｒは、例えば防錆加工を施した適宜太さ（例えば直径４ｍｍ〜５ｍｍ）の針金よりなり、線材折曲げ装置（図示せず）を用いて、第一工程、第二工程・・・第六工程および第七工程が順次行われ、所望形状の検測枠１が形成される。  
【００２２】
そして、得られた検測枠１の一方の目安部を構成する第１湾曲部５と他方の目安部を構成する第２湾曲部１０は同一形状をなしている。例えば、第１湾曲部５および第２湾曲部１０はそれぞれ、所定の高さＨ（例えば９ｃｍ）と幅Ｗ（例えば２９ｃｍ）とを有する縦断面（正面視）上凸形状でほぼ円弧形状（ほぼ弓形状）の線材部分からなる円弧形状部分ＡおよびＡ’を有し、両者５，１０は検測枠１の長さ方向（両矢印Ｄで示す方向）において互いに対向配置する状態で形成されている。さらに、円弧形状部分ＡおよびＡ’によって形成される仮想の垂直面Ｆおよび垂直面Ｆ’は平行であるのが好ましく、この場合、両垂直面ＦおよびＦ’はそれぞれＤ方向に直交するのが好ましい。さらに、第１湾曲部５と第２湾曲部１０は、第１略Λ部６への接続部７、第１略Λ部６、第２略Λ部８への接続部９、第２略Λ部８、第２湾曲部１０への接続部１１を介して同一水平面上に位置するよう形成されている。そして、第１略Λ部６および第２略Λ部８はそれぞれ、第１湾曲部５および第２湾曲部１０のＤ方向とは直交する方向における中央部に形成されている。また、前記接続部９はＤ方向に沿う所定長さの水平辺（一本の水平な直線状に形成されている）より構成されている。  
【００２３】
また、第１湾曲部５および第２湾曲部１０は円弧形状部分ＡおよびＡ’以外に、それぞれ金網Ｋの目合い（例えば、５ｃｍ）を通る形状の水平辺（水平片）１２および水平辺（水平片）１２’を円弧形状部分ＡおよびＡ’の一方の下端に有する。すなわち、水平辺１２は、金属線材Ｒの一方端部Ｓに形成してあり、水平辺１２’は、金属線材Ｒの他方端部Ｓ’に形成してある。また、第１湾曲部５および第２湾曲部１０はそれぞれ金網Ｋの目合いが通過可能な形状（金網Ｋを通過できる大きさ）に形成された脚１３および脚１３’を円弧形状部分ＡおよびＡ’の他方の下端に有する。また、前記水平辺１２と水平辺１２’は同一形状をなすとともに、前記脚１３と脚１３’も同一形状をなす。そして、第２略Λ部８への接続部９は、第１略Λ部６への接続部７および第２湾曲部１０への接続部１１と同一平面に位置させてあり、金網Ｋの上面ｉに接する（当接する）ような低い位置に形成してある。そして、好ましくは脚１３と脚１３’が法面２に接するとともに、金属線材Ｒの一方端部Ｓに形成した水平辺１２と、金属線材Ｒの他方端部Ｓ’に形成した水平辺１２’を法面２に載せた状態で、第１略Λ部６への接続部７、第２略Λ部８への接続部９および第２湾曲部１０への接続部１１を金網Ｋの上面ｉに載せながら検測枠１が配置される。  
【００２４】
（水平片１２と水平片１２’の形成）  検測枠１を得るための最初の工程において、例えば格子状法枠Ｍ形状の目安となる第１湾曲部５を形成する前に一本の直線状の金属線材Ｒの一方端部Ｓを所定の大きさの曲げ径を有して好ましくは以後に形成される前記垂直面Ｆ内に位置可能なように所定長さΔだけ折曲げて水平辺１２を形成する。前記所定長さΔは、金網Ｋの目合いを水平辺１２が支障無く通過可能な長さである。一方、検測枠１を得るための最後の工程において、格子状法枠Ｍ形状の目安となる第２傾斜部１０の形成工程（第七工程）の後、前記金属線材Ｒの他方端部Ｓ’を水平辺１２の場合と同じ所定の大きさの曲げ径を有して好ましくは前記垂直面Ｆ’内に位置可能なように所定長さΔ’（＝Δ）だけ折曲げて、水平辺１２と同一水平面に位置するよう水平辺１２’を形成する。すなわち、前記水平辺１２と前記水平辺１２’は平行な方向（Ｄ方向に直角な方向）で同一水平面に位置するように折曲して形成されている。得られた検測枠１においては、第１湾曲部５の最上流端および第２湾曲部１０の最下流端にそれぞれ前記水平辺１２および前記水平辺１２’が形成されており、前記水平辺１２および前記水平辺１２’を法面２に載せることから、その存在により、法面２が盛土であるような場合、検測枠１が法面２に沈み込むことが防止される。  
【００２５】
（脚１３，１３’と接続部７，１１の形成）  脚１３は正面視上方開放の凹状形状をなし、第１湾曲部５の円弧形状部分Ａの下端に形成されている。脚１３は、円弧形状部分Ａの下端を所定の大きさの曲げ径を有して好ましくは前記垂直面Ｆ内に位置するのではなく、前記垂直面Ｆ内よりも平面視において所定角度（鋭角）だけ検測枠１の内側に位置するように線材折曲げ装置（図示せず）により形成されている。すなわち、金属線材Ｒにおける折曲げポイントＰ1 （図２，３における黒点で示す箇所）で検測枠１の内側に折曲げて脚１３は形成されている。ここで、脚１３はその曲げ径を調整することにより金網Ｋを通過できる（金網Ｋの目合いを通る）大きさに形成される。続いて、脚１３の下流端部１３ａから第１略Λ部６の上流端部６ａに至る所定長さの水平辺（一本の水平な直線状に形成されている）から構成された接続部７が線材折曲げ装置（図示せず）により形成される。前記接続部７は、検測枠１の内側に折曲げて形成された脚１３の下流端部１３ａから、その後形成される第１略Λ部６の上流端部６ａに水平な状態で至るよう垂直面Ｆに対し平面視において所定角度（鋭角）だけ傾斜した状態で検測枠１内側に連設されている。これにより、第１湾曲部５の円弧形状部分Ａによって形成される前記
垂直面Ｆと第１略Λ部６（鉄筋３を挿入させこれを結束線ｒで固縛固定する箇所）とを、検測枠１の内側に前記Ｄ方向に沿った状態で適宜長さだけずらせて配置される。すなわち、前記第１略Λ部６は、円弧形状部分Ａ（垂直面Ｆ）から検測枠１の内側に適宜間隔だけ遠ざけて配置される。同様に、接続部７と同一形状の接続部１１（一本の水平な直線状に形成された所定長さの水平辺）が線材折曲げ装置（図示せず）によって形成されている。すなわち、前記第２略Λ部８を、第２湾曲部１０の円弧形状部分Ａ’（垂直面Ｆ’）から検測枠１の内側に前記Ｄ方向に沿った状態で適宜間隔だけ遠ざけて配置するために、垂直面Ｆ’に対し平面視において所定角度（鋭角）だけ傾斜した状態の接続部１１が形成される。接続部１１は、線材折曲げ装置（図示せず）により、第２略Λ部８の下流端部８ａを前記Ｄ方向外側に平面視において所定角度（鋭角）だけ折曲げて形成される。例えば図２に示すように、接続部１１の延長線１１ｃは接続部９に交差するように平面視において傾斜している。同様に接続部７の延長線７ｃも接続部９に交差するように平面視において傾斜している。また、脚１３’は正面視上方開放の凹状形状をなし、脚１３と同一形状に形成されている。すなわち、脚１３’は第２湾曲部１０の円弧形状部分Ａ’の下端に形成されており、円弧形状部分Ａ’の下端を所定の大きさの曲げ径を有して好ましくは垂直面Ｆ’内に位置するのではなく、垂直面Ｆ’内よりも平面視において所定角度（鋭角）だけ検測枠１の内側に位置するように線材折曲げ装置（図示せず）により形成される。ここで、脚１３’はその曲げ径を調整することにより金網Ｋの目合いを通る大きさに形成される。なお、脚１３，１３’を金網Ｋの目合いを通らない大きさ（金網Ｋを法面２に抑えつけうる大きさ）に形成してもよい。  
【００２６】
（第１略Λ部６、第２略Λ部８の形成）  前記接続部９におけるＤ方向両端９ａ，９ｂにはそれぞれ、鉄筋３を挿入させこれを結束線ｒ（図１参照）で固縛固定（位置決め）する前記第１略Λ部６および第２略Λ部８が一つ形成されている。すなわち、前記接続部９は、第１略Λ部６の下流端側の裾端と、第２略Λ部８の上流端側の裾端を繋いでいる（接続している）。第１略Λ部６は、接続部７の下流端部７ａからＤ方向に垂直な面内において、水平辺１２の側に折曲して上方斜めに連設され、接続部７の高さ位置よりも所定長さｅだけ高い位置にある頂点Ｔを経て、さらにＤ方向に垂直な面内において、前記水平辺１２の側に折曲して下方斜めに至るよう連設される。一方、第２略Λ部８は、接続部９の下流端部９ｂからＤ方向に垂直な面内において、脚１３’の側に折曲して上方斜めに連設され、接続部９の高さ位置よりも所定長さｅだけ高い位置にある頂点Ｔ’を経て、さらにＤ方向に垂直な面内において、前記脚１３’の側に折曲して下方斜めに至るよう連設される。すなわち、この第１略Λ部６および第２略Λ部８それぞれによって囲まれる仮想の三角形状の面ｆおよびｆ’は、円弧形状部分ＡおよびＡ’によって囲まれる前記垂直面ＦおよびＦ’と平行である。さらに、前記接続部９は、一本の水平な直線状の水平辺に形成されており、これは第１略Λ部６の下流端側の裾端と、第２略Λ部８の上流端側の裾端を繋いでいる（接続している）。そして、上述したように、前記接続部９は、水平辺７，１１と同一水平面に位置させてあり、金網Ｋの上面ｉに接する（当接する）ような低い位置に形成してある。すなわち、第１略Λ部６と第２略Λ部８を接続する接続部９の存在により、鉄筋３の結束・固定作業を行う作業空間を開放することができて作業空間を広く確保することができる。この場合、第１略Λ部６と第２略Λ部８を接続する接続部９を金網Ｋの上面ｉに接する（当接する）ような低い位置に形成しているので、検測枠１内の作業空間をさらに広く確保することができる。  
【００２７】
而して、線材折曲げ装置において、一本の線材Ｒを、水平辺１２を形成する工程、前記第一工程、第二工程・・・第六工程および第七工程ならびに水平辺１２’を形成する工程の順序で折曲して、所望形状の検測枠１をうる。そして、予め整形された法面２に目合いが例えば５〜６ｃｍ程度の菱形金網Ｋなどの被覆材を敷設し、アンカー（図示せず）を適宜の間隔で法面２に打ち込んで金網Ｋを法面２に固定する。次に、金網Ｋの上に、直径が例えば６〜１０ｍｍ程度の鉄筋３を一辺Ｌが１〜２ｍ程度の略正方形の格子状に組み合わせて配置する。そして、鉄筋３からなる格子状の各辺のほぼ中央に線材折曲げ装置で得られた検測枠１を、その円弧形状部分Ａ，Ａ’が鉄筋３を跨ぐようにして、金網Ｋの上に配置する。この実施形態では、脚１３，１３’、水平辺１２，１２’は法面２に載った状態で、前記接続部７，９，１１が金網Ｋの上面ｉに接しながら検測枠１が配置されるが、場合に応じて検測枠１の配置の仕方は適宜変わりうる。この検測枠１は、モルタルなど４の吹き付け幅および吹き付け幅高さの目安となるものであるから、格子枠の各辺に少なくとも一つ設けてあればよく、この実施形態のように、辺の長さＬ（図１参照）が１〜２ｍ、検測枠１の長さＱが４０〜５０ｃｍのときは、各辺に一つの検測枠１を設けるだけでよい。また、前記辺の長さＬがより大きいときは、検測枠１の長さＱをより大きくすればよい。すなわち、前記接続部９の長さをより大きくした検測枠１を用いればよい。そして、この実施形態では、前記接続部９を金網Ｋの上面ｉに接するような低い位置に形成してあり、結束・固定作業を行う作業空間が開放されているため、検測枠１内に作業者は手を入れやすく鉄筋３の前記第１略Λ部６、第２略Λ部８への挿入および挿入された鉄筋３の第１略Λ部６、第２略Λ部８への固定等の挿入・結束・固定作業が容易になる。以上のように構成した格子状鉄筋３に、例えば含水率が７〜８％程度の低スランプのモルタルなど４をモルタルガン機などの土木用吹付機によって吹き付ける。この場合、鉄筋３によって形成される格子枠の各辺には、モルタルなど４の吹き付け幅および吹き付け高さの目安となる検測枠１を設けてあるので、この検測枠１にしたがってモルタルなど４の吹き付けを行うだけで、所定寸法のモルタルなど４よりなる格子状法枠Ｍを容易に形成することができる。すなわち、この実施形態においては、下端幅３０ｃｍ、高さ１０ｃｍ程度の格子状法枠Ｍを形成することができ、所定寸法および所定強度の格子状法枠Ｍを確実に形成することができる。続いて、格子状法枠Ｍの枠内に植生材料を動力吹付け機などを用いて吹き付けて植生層Ｊ（法面２から３〜５ｃｍ程度の厚み）を形成することにより、岩盤法面などにも植生を導入することが可能となり、法面２の景観の向上および植生の根や茎などによる法面２の恒久的安定に寄与するところが大きい。この場合、格子状法枠Ｍを形成するモルタルなど４の吹き付けを行う前に、枠内の地山（法面）２にモルタルなど４が付着しないように保護するシートを設置しておき、格子状法枠Ｍを形成後、植生材料を吹き付ける前に前記シートを撤去することにより、吹き付け導入した植生の地山（法面）２への活着が良好となる。ま���、格子状法枠Ｍの枠内の緑化が必要とされない場合は、枠内にモルタルなど４を吹き付けたり、砕石などの間詰材で覆うことにより、法枠間の地山（法面）２の保護が可能である。  
【００２８】
この実施形態では、第１略Λ部６の面ｆを、前記垂直面Ｆから検測枠１の内側に適宜間隔だけ遠ざけるために、そして、第２略Λ部８の面ｆ’を、前記垂直面Ｆ’から検測枠１の内側に適宜間隔だけ遠ざけるために、接続部７，１１のみならず、脚１３，１３’までも検測枠１の内側に垂直面Ｆ，Ｆ’に対し平面視において所定角度（鋭角）だけ傾斜させた構成を採用した。  
【００２９】
図４は、脚１３と接続部７を、第１湾曲部５の円弧形状部分Ａによって形成される垂直面Ｆ内に位置させた上で、第１略Λ部６の面ｆを垂直面Ｆから検測枠１の内側に、前記Ｄ方向に沿った状態で適宜長さｄだけずらせるために、検測枠１内側で、接続部７の下流端部７ａから第１略Λ部６の上流端部６ａに至るよう連設された連設部分２０を線材折曲げ装置（図示せず）によって形成する一方、第２湾曲部１０の側にも、脚１３’と接続部１１を、第２湾曲部１０の円弧形状部分Ａ’によって形成される垂直面Ｆ’内に位置させた上で、第２略Λ部１０の面ｆ’を垂直面Ｆ’から検測枠１の内側に、前記Ｄ方向に沿った状態で適宜長さｄだけずらせるために、検測枠１内側で、第２略Λ部８の下流端部８ａから接続部１１の上流端部１１ａに至るよう連設された連設部分２０’を線材折曲げ装置（図示せず）によって形成するようにしたこの発明の第２の実施形態を示す。図４において、図１〜３に示した符号と同一のものは同一または相当物である。この実施形態では、第１略Λ部６の面ｆおよび第２略Λ部８の面ｆ’をそれぞれ垂直面Ｆおよび垂直面Ｆ’に対して長さｄだけずらす方向は、Ｄ方向に沿っている。また、前記連設部分２０および２０’はそれぞれ、接続部７および１１ならびに接続部９と同一水平面に位置している。すなわち、この実施形態では、前記接続部９は、接続部７，１１、連設部分２０，２０’と同一水平面に位置させてあり、金網Ｋの上面ｉに接する（当接する）ような低い位置に形成してある。  
【００３０】
前記連設部分２０，２０’を備えた上記第２の実施形態では、検測枠１を得るための最初の工程で形成した水平辺１２と、最後の工程で形成した水平辺１２’を例えば図３に示すように法面２に載せるよう構成するとともに、途中の工程で形成した脚１３，１３’を例えば図３に示すように法面２に載せるよう構成していた。  
【００３１】
図５は、前記脚１３，１３’を無くすとともに、図４の接続部７，１１の代わりに、垂直面Ｆ，Ｆ’内に位置して金網Ｋの上面ｉに接しうる（当接しうる）水平辺３０，３０’を設け、検測枠１を得るための最初の工程で形成した水平辺１２と、最後の工程で形成した水平辺１２’を前記連設部分２０，２０’および水平辺３０，３０’と同様に金網Ｋの上面ｉに載せて検測枠１自体を金網Ｋの上面ｉに配置するように構成したこの発明の第３の実施形態（図４の変形例）を示す。図５において、図１〜４に示した符号と同一のものは同一または相当物である。図５において、得られた検測枠１の一方の目安部を構成する第１湾曲部５および他方の目安部を構成する第２湾曲部１０（図４参照）はそれぞれ、所定の高さＨ（例えば９ｃｍ）と幅Ｗ（例えば２９ｃｍ）とを有する縦断面（正面視）上凸形状でほぼ円弧形状（ほぼ弓形状）の線材部分からなる円弧形状部分ＡおよびＡ’（図１，４参照）と、各円弧形状部分Ａ，Ａ’の両下端ａ，ｂ（図５参照）を適宜長さで互いに向き合う方向（Ｄ方向に直角な方向）で同一水平面に位置するように折曲して形成され、垂直面Ｆ，Ｆ’内に位置する左右一対の水平辺（３０，１２）（３０’，１２’）を含む。なお、水平辺（３０’，１２’）は、図示しない第２湾曲部１０に形成されている。そして、図５において、第１湾曲部５における紙面向かって左側の水平辺３０は、紙面向かって右側の水平辺１２よりも長く連設されている。水平辺３０，１２は第１湾曲部５の底辺を形成する。同様に、水平辺３０’，１２’は第２湾曲部１０の底辺を形成する。図５に示すように、検測枠１は、水平辺（３０，１２）（３０’，１２’）を介して金網Ｋ上に載置可能である。この実施形態では、水平辺３０，３０’と、接続部９（図４参照）と、水平辺１２，１２’および連設部分２０，２０’（図４参照）が金網Ｋの上面ｉに接する状態で検測枠１が金網Ｋの上面ｉに配置される。水平辺３０および３０’は図４の接続部７および接続部１１と同様にそれぞれ円弧形状部分ＡおよびＡ’（図２参照）によって形成される仮想の垂直面ＦおよびＦ’（図４参照）内に位置する。  
【００３２】
なお、上記第１の実施形態で用いた前記脚１３，１３’（図２参照）を無くすとともに、図２の接続部７，１１の代わりに、垂直面Ｆ，Ｆ’内に位置して金網Ｋの上面ｉに接しうる（当接しうる）水平辺３０，３０’を設け、検測枠１を得るための最初の工程で形
成した水平辺１２（図２参照）と、最後の工程で形成した水平辺１２’（図２参照）と、水平辺３０，３０’を金網Ｋの上面ｉに載せて検測枠１自体を金網Ｋの上面ｉに配置するように構成することもこの発明では可能である。この場合、水平辺３０および３０’は円弧形状部分ＡおよびＡ’（図２参照）によって形成される仮想の垂直面ＦおよびＦ’（図２参照）内に位置するのではなく、図２の接続部７，１１と同様に、検測枠１の内側に垂直面Ｆ，Ｆ’に対し平面視において所定角度（鋭角）だけ傾斜した状態で位置している。  
【００３３】
また、図６は、この発明の第４の実施形態であり、図６に示すように、検測枠１を上面視で点対称の形状としてもよい。なお、図６において、図１〜５に示した符号と同一のものは同一または相当物である。検測枠１の製造方法は、一本の直線状の金属線材Ｒの一方端部Ｓを所定の大きさの曲げ径を有して好ましくは後に形成される垂直円弧面Ｆ内に位置可能なように所定長さだけ折曲げて水平辺１２を形成する工程、格子状法枠Ｍ形状（図１，３参照）の目安となる目安部を構成する第１湾曲部５の形成工程、円弧形状部分Ａの下流側下端を所定の大きさの曲げ径を有してこの実施形態では前記垂直面Ｆ内よりも平面視において所定角度（鋭角）だけ検測枠１の内側に位置するように線材折曲げ装置（図示せず）により折曲げて金網Ｋを通過できる大きさの脚１３を形成する工程、次の第１略Λ部６への接続部７の形成工程、一本の鉄筋３（図１，３参照）を浮設保持するための前記第１略Λ部６の形成工程、次の第２略Λ部８への接続部９の形成工程、一本の鉄筋３を浮設保持するための前記第２略Λ部８の形成工程、次の第２湾曲部１０への接続部１１の形成工程、円弧形状部分Ａ’の上流側下端を所定の大きさの曲げ径を有してこの実施形態では前記垂直面Ｆ’内よりも平面視において所定角度（鋭角）だけ検測枠１の内側に位置するように線材折曲げ装置（図示せず）により折曲げて金網Ｋを通過できる大きさの脚１３’を形成する工程、格子状法枠Ｍ形状の目安となる目安部を構成する前記第２湾曲部１０の形成工程、前記金属線材Ｒの他方端部Ｓ’を水平辺１２の場合と同じ所定の大きさの曲げ径を有して好ましくは前記垂直円弧面Ｆ’内に位置可能なように所定長さΔ’（＝Δ）だけ折曲げて、水平辺１２と同一水平面に位置するよう水平辺１２’を形成する工程を含む。なお、検測枠１を上面視で点対称の形状とする図６では、上記第１の実施形態と同様に、第１略Λ部６の仮想の面ｆを、仮想の垂直面Ｆから検測枠１の内側に適宜間隔だけ遠ざけるために、そして、第２略Λ部８の仮想の面ｆ’を、仮想の垂直面Ｆ’から検測枠１の内側に適宜間隔だけ遠ざけるために、接続部７，１１のみならず、脚１３，１３’までも検測枠１の内側に垂直面Ｆ，Ｆ’に対し平面視において所定角度（鋭角）だけ傾斜させた構成を採用したが、検測枠１を上面視で点対称の形状とするにあたり、図４に示すような構成を採用してもよい。すなわち、脚１３と接続部７を、垂直面Ｆ内に位置させた上で、連設部分２０（図４参照）に相当するものを形成して面ｆを垂直面Ｆから検測枠１の内側に適宜長さだけずらせるとともに、脚１３’と接続部１１を、垂直面Ｆ’内に位置させた上で、連設部分２０’（図４参照）に相当するものを形成して面ｆ’を垂直面Ｆ’から検測枠１の内側に適宜長さだけずらせるように構成してもよい。  
【００３４】
上記各実施形態では、線材折曲げ装置を用いて各工程を行う例を示したが、この発明では、各工程の１または複数の工程を、１回または複数回に分けてプレス機を用いて行うようにしてもよい。  
【００３５】
また、この発明の検測枠のさらに別の製造方法として、合成樹脂成型（成形）加工機を用いて行う場合は、例えば図２に示す検測枠１の形状の金型を作成し、ポリプロピレンやポリエチレン等を原料として射出成形にて製造する。この製造方法によると、「格子状法枠Ｍ形状の目安となる目安部を構成する第１湾曲部５の形成、次の第１略Λ部６への接続部７の形成、一本の鉄筋３を浮設保持するための前記第１略Λ部６の形成、次の第２略Λ部８への接続部９の形成、一本の鉄筋３を浮設保持するための前記第２略Λ部８の形成、次の第２湾曲部１０への接続部１１の形成、格子状法枠Ｍ形状の目安となる目安部を構成する前記第２湾曲部１０の形成」の全工程、または線材端部Ｓ，Ｓ’の水平辺１２，１２’及び脚１３，１３’の形成も含めた全工程を同時に行うことが可能である。  
【００３６】
なお、上記各実施形態において、前記接続部９に、鉄筋（芯材）３を浮設保持するための略Λ部を追加して設けてもよい。  
【００３７】
また、前記接続部９を上向きに若干山形に屈曲（図示なし）しておく、または検測枠１の設置時に前記接続部９を上向きに若干山形に屈曲することで、法面２の凸部に前記接続部９が位置しても検測枠１の安定した設置が可能となる。また、前記接続部９を逆に曲げた際には法面２の凹部にフィットさせることができる。この場合、前記接続部９を下向きに若干山形に屈曲（図示なし）しておく、または検測枠１の設置時に前記接続部９を下向きに若干山形に屈曲する。すなわち、特許文献１に記載されている検測枠では、上述したように、湾曲部（前記第１部材）の両サイドが２本の線材（２本の前記第２部材）で溶接するなどして強固に連結（接続）されていた。しかし、本発明では湾曲部５，１０同士が１本の線材、すなわち、前記接続部９で繋がっているだけなので、施工現場条件（法面２表面の凹凸の状態）によって、検測枠１の設置時に前記接続部９を容易に上向きあるいは下向きに屈曲させることができ、検測枠１をより法面２の凹凸に沿って設置させることができる。  
【００３８】
図７，８は、膨出体形状の目安となる第１湾曲部５の形成工程、次の略Λ部６’への接続部９’の形成工程、芯材を浮設保持するための前記略Λ部６’の形成工程、次の第２湾曲部１０への接続部９’’の形成工程、膨出体形状の目安となる前記第２湾曲部１０の形成工程を主として有し、検測枠１を上面視で点対称の形状としてあるこの発明の第５の実施形態を示す。図７，８において、図１〜６に示した符号と同一のものは同一または相当物である。図７，８に示すように、検測枠１の製造方法は、一本の直線状の金属線材Ｒの一方端部Ｓを所定の大きさの曲げ径を有して好ましくは後に形成される垂直面Ｆ内に位置可能なように所定長さΔだけ折曲げて水平辺１２を形成する工程、格子状法枠Ｍ形状（図１，３参照）の目安となる目安部を構成する第１湾曲部５の形成工程、円弧形状部分Ａの下流側下端を所定の大きさの曲げ径を有してこの実施形態では前記垂直面Ｆ内に位置するように線材折曲げ装置（図示せず）により折曲げて金網Ｋを通過できる大きさの脚１３を形成する工程、次の略Λ部６’への接続部９’の形成工程、一本の鉄筋３（図１，３参照）を浮設保持するための前記略Λ部６’の形成工程、次の第２湾曲部１０への接続部９’’の形成工程、円弧形状部分Ａ’の上流側下端を所定の大きさの曲げ径を有してこの実施形態では前記垂直面Ｆ’内に位置するように線材折曲げ装置（図示せず）により折曲げて金網Ｋを通過できる大きさの脚１３’を形成する工程、格子状法枠形状の目安となる目安部を構成する前記第２湾曲部１０の形成工程、前記金属線材Ｒの他方端部Ｓ’を水平辺１２の場合と同じ所定の大きさの曲げ径を有して好ましくは前記垂直面Ｆ’内に位置可能なように所定長さΔ’（＝Δ）だけ折曲げて、水平辺１２と同一水平面に位置するよう水平辺１２’を形成する工程を含む。そして、上記各実施形態と同様に、仮想の垂直面Ｆ，Ｆ’が平行になるよう第１湾曲部５と第２湾曲部１０が所定間隔Ｂ（図８参照）を有して対向配置されている。そして、前記両接続部９’，９’’は平行な直線に形成されている。  
【００３９】
さらに、この実施形態では、図８に示すように、前記略Λ部６’前後の接続部９’，９’’が平行になるように形成するとともに、前記略Λ部６’内に形成される正面視三角形の仮想の面ｆ1 と仮想の垂直面Ｆ，Ｆ’が平行になるように前記略Λ部６’を形成している。なお、Ｔは略Λ部６’の頂点を示し、３２および３３は、略Λ部６’の両端点を示し、便宜上、図７，８には、前記頂点Ｔと両端点３２，３３をドットで示している。  
【００４０】
図９，１０は、上記第５の実施形態と同様、膨出体形状の目安となる第１湾曲部５の形成工程、次の略Λ部６’への接続部９’の形成工程、芯材を浮設保持するための前記略Λ部６’の形成工程、次の第２湾曲部１０への接続部９’’の形成工程、膨出体形状の目安となる前記第２湾曲部１０の形成工程を主として有し、検測枠１を上面視で点対称の形状としてあるとともに、前記略Λ部６’内に形成される正面視三角形の仮想の面ｆ1 の向きを平行な仮想の垂直面Ｆ，Ｆ’に対して上記第５の実施形態の場合とは異ならせたこの発明の第６の実施形態を示す。図９，１０において、図１〜８に示した符号と同一のものは同一または相当物である。図９，１０に示すように、検測枠１の製造方法は、一本の直線状の金属線材Ｒの一方端部Ｓを所定の大きさの曲げ径を有して好ましくは後に形成される垂直面Ｆ内に位置可能なように所定長さΔだけ折曲げて水平辺１２を形成する工程、格子状法枠Ｍ形状（図１，３参照）の目安となる目安部を構成する第１湾曲部５の形成工程、円弧形状部分Ａの下流側下端を所定の大きさの曲げ径を有してこの実施形態では前記垂直面Ｆ内に位置するように線材折曲げ装置（図示せず）により折曲げて金網Ｋを通過できる大きさの脚１３を形成する工程、次の略Λ部６’への接続部９’の形成工程、一本の鉄筋３（図１，３参照）を浮設保持するための前記略Λ部６’の形成工程、次の第２湾曲部１０への接続部９’’の形成工程、円弧形状部分Ａ’の上流側下端を所定の大きさの曲げ径を有してこの実施形態では前記垂直面Ｆ’内に位置するように線材折曲げ装置（図示せず）により折曲げて金網Ｋを通過できる大きさの脚１３’を形成する工程、格子状法枠形状の目安となる目安部を構成する前記第２湾曲部１０の形成工程、前記金属線材Ｒの他方端部Ｓ’を水平辺１２の場合と同じ所定の大きさの曲げ径を有して好ましくは前記垂直面Ｆ’内に位置可能なように所定長さΔ’（＝Δ）だけ折曲げて、水平辺１２と同一水平面に位置するよう水平辺１２’を形成する工程を含む。そして、上記各実施形態と同様に、仮想の垂直面Ｆ，Ｆ’が平行になるよう第１湾曲部５と第２湾曲部１０が所定間隔Ｂ（図１０参照）を有して対向配置されている。  
【００４１】
そして、この実施形態では、図１０に示すように、好ましくは仮想の対角線Ｇ上に前記直線状の両接続部９’，９’’と前記略Λ部６’内に形成される正面視三角形の仮想の面ｆ1 が位置するよう形成されている。そして、前記仮想の面ｆ1 と仮想の垂直面Ｆ，Ｆ’とのなす角度が、鋭角θになるよう前記略Λ部６’を形成してある。  
【００４２】
なお、この発明では、例えば金属線材を例えば第１湾曲部５に加工するにあたり、図３に示すような所定の曲率を有する円弧形状（弓形状）の曲線に限りなく近づけて仕上げる工程だけではなく、図１１に示すように、金属線材を順次所定の回数だけ折曲げて複数の傾斜した直線部５ａおよび水平な直線部５ｂよりなる前記曲線に近い形状の多角形を形成するような金属線材の折曲げ方をも含む。この際、図１１に示すように、第１湾曲部５を形成したときと同様の傾斜した直線部５ａおよび水平な直線部５ｂを用いて例えば脚１３、略Λ部６’を加工することができる。図１１において、複数のドットは、折曲げポイントを示している。また、図１１においては、第１略Λ部６の頂点Ｔを水平な直線部５ｂとした例を示しているが、図１２に示すように、傾斜した直線部５ａと傾斜した直線部５ａの交点にしてもよい。  
【００４３】
上記各実施形態では、１本の線材で検測枠を構成する場合を示したが、本発明はこれに限られず第１湾曲部５から第２湾曲部１０に至る間の位置で分割された複数の線材部分より構成し、前述した各形成工程の後に、前記分割位置で線材部分同士を溶接に
より連結して一本の連続した鋼製線材などの線材とするようにしてもよい。例えば図１３〜図１６は、そのようにしたこの発明の第７の実施形態、第８の実施形態を示す。図１３〜図１６において、図１〜１２に示した符号と同一のものは同一または相当物である。  
【００４４】
まず始めに、図１３、図１４は、検測枠を構成する線材を、第１湾曲部５から第２湾曲部１０に至る間の位置で２分割された二つの線材部分より構成しているこの発明の第７の実施形態を示している。図１３において、黒三角Ｚ1 は二つの線材部分Ｒ1 ，Ｒ2 の溶接ポイント（分割位置）を示しており、１’は、この溶接ポイントＺ1 で溶接された後に得られる検測枠である。そして、この実施形態では、図１４に示すように、互いに面対称である形状の二つの線材部分Ｒ1 ，Ｒ2 を用いており、得られた検測枠１’は直線状の接続部９の中央箇所に前記溶接ポイントＺ1 を有している。９ａおよび９ｂはそれぞれ線材部分Ｒ1 および線材部分Ｒ2 の一端であり、これらが溶接箇所である。例えば、前記第２の実施形態では、図４に示すように、一本の金属線材Ｒに線材折曲げ装置（図示せず）を用いて、所望の形成工程が順次行われ、所望形状の検測枠１を形成していたが、この第７の実施形態では、例えば前記線材折曲げ装置を用いて予め互いに面対称である形状の二つの線材部分Ｒ1 ，Ｒ2 を形成しておき、その後、前記一端９ａおよび９ｂ同士を溶接して線材部分Ｒ1 ，Ｒ2 を連結し、一本の線材としている。そして、前記第２の実施形態のように、線材折曲げ装置を用いて連続で製造するより、この実施形態のように一つの検測枠１’を得るのに二つの線材部分（２分割した部品）Ｒ1 ，Ｒ2 を用いる方が線材部分（２分割した部品）Ｒ1 ，Ｒ2 の製造スピードを上げることができ、また、線材部分（２分割した部品）Ｒ1 ，Ｒ2 の形状が歪み難いという利点を有する。すなわち、この実施形態では、２分割した部品Ｒ1 ，Ｒ2 の形成後に、両者Ｒ1 ，Ｒ2 を溶接して接続し、それによって一つの検測枠１’を得るので、連続して一つの検測枠１を製造するより、製造スピードと形状の安定性を上げることができ、最終的な形状の修正作業が少なく済むといった利点を有する。また、この実施形態では、線材折曲げ装置を用いて互いに面対称である形状の部品Ｒ1 ，Ｒ2 を製造するので、異なる形状の多数の部品を用いて一つの検測枠１’をうる場合に比べて生産効率を上げることができる。なお、この発明では、溶接ポイントＺ1 は接続部９の中央箇所に限定されるものではなく溶接ポイントＺ1 は第１湾曲部５から第２湾曲部１０に至る間の位置であればよい。  
【００４５】
次に、図１５、図１６は、検測枠を構成する線材を、第１湾曲部５から第２湾曲部１０に至る間の位置で３分割された三つの線材部分より構成しているこの発明の第８の実施形態を示している。この実施形態では、図１６に示すように、三つの線材部分Ｒ1 ’，Ｒ2 ’，Ｒ3 ’を用いており、得られた検測枠１’は、直線状の接続部７における適宜の箇所と直線状の接続部１１における適宜の箇所の二箇所に溶接ポイントＺ2 を有している。図１６において、９ａおよび１１ａはそれぞれ線材部分Ｒ1 ’および線材部分Ｒ2 ’の一端であり、７ｂおよび１１ｂはそれぞれ線材部分Ｒ3 ’の一端および他端であり、これらが溶接箇所である。検測枠１’は、前記二つの溶接ポイントＺ2 で溶接された後に得られる検測枠である。この実施形態でも、上記第７の実施形態と同様の利点を有する。すなわち、例えば前記線材折曲げ装置を用いて予め三つの線材部分Ｒ1 ’，Ｒ2 ’，Ｒ3 ’を形成しておき、その後、線材部分Ｒ3 ’の両端７ｂおよび１１ｂにそれぞれ線材部分Ｒ1 ’の一端７ａおよび線材部分Ｒ2 ’の一端１１ａを溶接して三者Ｒ1 ’，Ｒ2 ’，Ｒ3 ’を連結し、一本の線材としている。そして、前記第２の実施形態のように、線材折曲げ装置を用いて連続で製造するより、この実施形態のように一つの検測枠１’を得るのに三つの線材部分（３分割した部品）Ｒ1 ’，Ｒ2 ’，Ｒ3 ’を用いる方が各線材部分（３分割した各部品）Ｒ1 ’，Ｒ2 ’，Ｒ3 ’の製造スピードを上げることができ、また、線材部分（３分割した部品）Ｒ1 ’，Ｒ2 ’，Ｒ3 ’の形状が歪み難いという利点を有する。すなわち、この実施形態では、３分割した部品Ｒ1 ’，Ｒ2 ’，Ｒ3 ’の形成後に、三者Ｒ1 ’，Ｒ2 ’，Ｒ3 ’を溶接して接続し、それによって一つの検測枠１’を得るので、連続して一つの検測枠１を製造する前記第２の実施形態より、製造スピードと形状の安定性を上げることができ、最終的な形状の修正作業が少なく済むといった利点を有する。なお、この発明では、溶接ポイントＺ2 は接続部７，１１の箇所に限定されるものではなく溶接ポイントＺ2 は第１湾曲部５から第２湾曲部１０に至る間の位置であればよく、また、溶接ポイントＺ2 を３以上に設定してもよい。  
【００４６】
図１７、図１８は、上記第７の実施形態と同様に、検測枠１’を構成する線材を、第１湾曲部５から第２湾曲部１０に至る間の位置で２分割された二つの線材部分Ｒ1 ’’，Ｒ2 ’’より構成しているこの発明の第９の実施形態を示している。図１７、図１８において、図１〜１６に示した符号と同一のものは同一または相当物であり、黒三角Ｚ1 は二つの線材部分Ｒ1 ’’，Ｒ2 ’’の溶接ポイント（分割位置）を示し、１’は、この溶接ポイントＺ1 で溶接された後に得られる検測枠である。そして、この実施形態では、溶接ポイントＺ1 の位置からも分かるように、互いに点対称である形状の二つの線材部分Ｒ1 ’’，Ｒ2 ’’を用いており、得られた検測枠１’は略Λ部６’の頂点Ｔの位置に前記溶接ポイントＺ1 を有している。６’ａおよび６’ｂはそれぞれ、図１８に示した線材部分Ｒ1 ’’および線材部分Ｒ2 ’’の一端であり、これらが溶接箇所である。すなわち、前記第６の実施形態では、図９に示すように、一本の金属線材Ｒに線材折曲げ装置（図示せず）を用いて、複数の加工工程が順次行われ、所望形状の検測枠１を形成していたが、この第９の実施形態では、一つの検測枠１’を得るにあたり、例えば前記線材折曲げ装置を用いて予め二つの線材部分Ｒ1 ’’，Ｒ2 ’’を形成しておき、その後、前記一端６’ａおよび６’ｂ同士を溶接して線材部分Ｒ1 ’’，Ｒ2 ’’を連結し、一本の線材としている。そして、前記第６の実施形態のように、線材折曲げ装置を用いて連続で製造するより、この実施形態のように一つの検測枠１’を得るのに二つの線材部分（２分割した部品）Ｒ1 ’’，Ｒ2 ’’を用いる方が線材部分（２分割した部品）Ｒ1 ’’，Ｒ2 ’’の製造スピードを上げることができ、また、線材部分（２分割した部品）Ｒ1 ’’，Ｒ2 ’’の形状が歪み難いという利点を有する。すなわち、この実施形態では、２分割した部品Ｒ1 ’’，Ｒ2 ’’の形成後に、両者Ｒ1 ’’，Ｒ2 ’’を溶接して接続し、それによって一つの検測枠１’を得るので、連続して一つの検測枠１を製造するより、製造スピードと形状の安定性を上げることができ、最終的な形状の修正作業が少なく済むといった利点を有する。また、この実施形態では、線材折曲げ装置を用いて互いに点対称である形状の部品Ｒ1 ’’，Ｒ2 ’’を製造するので、異なる形状の多数の部品を用いて一つの検測枠１’をうる場合に比べて生産効率を上げることができる。なお、この発明では、溶接ポイントＺ1 は略Λ部６’の頂点Ｔの箇所に限定されるものではなく溶接ポイントＺ1 は第１湾曲部５から第２湾曲部１０に至る間の位置であればよい。  
【００４７】
図１９、図２０は、検測枠を構成する線材を、第１湾曲部５から第２湾曲部１０に至る間の位置で３分割された三つの線材部分より構成しているこの発明の第１０の実施形態を示している。この実施形態では、三つの線材部分Ｒ1 ’’’，Ｒ2 ’’’，Ｒ3 ’’’を用いており、得られた検測枠１’は、直線状の接続部９’における適宜の箇所と直線状の接続部９’’における適宜の箇所の二箇所に溶接ポイントＺ2 を有している。図２０において、９’ａおよび９’’ａはそれぞれ線材部分Ｒ1 ’’’および線材部分Ｒ2 ’’’の一端であり、９’ｂおよび９’’ｂはそれぞれ線材部分Ｒ3 ’’’の一端および他端であり、これらが溶接箇所である。１’は、前記二つの溶接ポイントＺ2 で溶接された後に得られる検測枠である。この実施形態でも、上記第７〜９の実施形態と同様の利点を有する。すなわち、例えば前記線材折曲げ装置を用いて予め三つの線材部分Ｒ1 ’’’，Ｒ2 ’’’，Ｒ3 ’’’を形成しておき、その後、線材部分Ｒ3 ’’’の両端９’ｂおよび９’’ｂにそれぞれ線材部分Ｒ1 ’’’の一端９’ａおよび線材部分Ｒ2 ’’’の一端９’’ａを溶接して三者Ｒ1 ’’’，Ｒ2 ’’’，Ｒ3 ’’’を連結し、一本の線材としている。そして、前記第６の実施形態のように、線材折曲げ装置を用いて連続で製造するより、この実施形態のように一つの検測枠１’を得るのに三つの線材部分（３分割した部品）Ｒ1 ’’’，Ｒ2 ’’’，Ｒ3 ’’’を用いる方が線材部分（３分割した部品）Ｒ1 ’’’，Ｒ2 ’’’，Ｒ3 ’’’の製造スピードを上げることができ、また、線材部分（３分割した部品）Ｒ1 ’’’，Ｒ2 ’’’，Ｒ3 ’’’の形状が歪み難いという利点を有する。すなわち、この実施形態では、３分割した部品Ｒ1 ’’’，Ｒ2 ’’’，Ｒ3 ’’’の形成後に、三者Ｒ1 ’’’，Ｒ2 ’’’，Ｒ3 ’’’を溶接して接続し、それによって一つの検測枠１’を得るので、連続して一つの検測枠を製造する前記第５の実施形態より、各部品Ｒ1 ’’’，Ｒ2 ’’’，Ｒ3 ’’’の製造スピードと形状の安定性を上げることができ、最終的な形状の修正作業が少なく済むといった利点を有する。なお、この発明では、溶接ポイントＺ2 は接続部９’，９’’の適宜の箇所に限定されるものではなく溶接ポイントＺ2 は第１湾曲部５から第２湾曲部１０に至る間の位置であればよく、また、溶接ポイントＺ2 を３以上に設定してもよい。
【符号の説明】
【００４８】
１            検測枠      ２            法面      ３            鉄筋（芯材）      ５            第１湾曲部      ６            第１略Λ部      ７，９，１１  接続部      ８            第２略Λ部      １０          第２湾曲部      Ｍ            格子状法枠（膨出体形状）      Ｒ            一本の線材
【図１】
2014114693.tif 000003
【図２】
2014114693.tif 000004
【図３】
2014114693.tif 000005
【図４】
2014114693.tif 000006
【図５】
2014114693.tif 000007
【図６】
2014114693.tif 000008
【図７】
2014114693.tif 000009
【図８】
2014114693.tif 000010
【図９】
2014114693.tif 000011
【図１０】
2014114693.tif 000012
【図１１】
2014114693.tif 000013
【図１２】
2014114693.tif 000014
【図１３】
2014114693.tif 000015
【図１４】
2014114693.tif 000016
【図１５】
2014114693.tif 000017
【図１６】
2014114693.tif 000018
【図１７】
2014114693.tif 000019
【図１８】
2014114693.tif 000020
【図１９】
2014114693.tif 000021
【図２０】
2014114693.tif 000022